(57)【要約】【課題】プラズマディスプレイ装置の画像表示品質を犠牲にすることなくデータ電極駆動回路の消費電力を削減する。【解決手段】１フィールド期間をあらかじめ輝度重みの定められた複数のサブフィールドで構成するとともに、サブフィールドの任意の組合せの中から複数の組合せを選択して表示用組合せ集合を作成し、表示用組合せ集合に属するサブフィールドの組合せを用いて放電セルの発光・非発光を制御して階調を表示するプラズマディスプレイ装置の駆動方法であって、組合せの数の異なる複数の表示用組合せ集合を備えるとともに、乱数を発生する乱数発生部を備え、赤の画像信号、緑の画像信号、青の画像信号のそれぞれに対して、複数の表示用組合せ集合の中から所定の選択基準に基づき選択した表示用組合せ集合を用いるとともに、乱数に基づく擾乱を所定の選択基準に付加するたことを特徴とする。【選択図】図７
2010139689.tif 000002
【特許請求の範囲】
【請求項１】
１フィールド期間をあらかじめ輝度重みの定められた複数のサブフィールドで構成するとともに、前記サブフィールドの任意の組合せの中から複数の組合せを選択して表示用組合せ集合を作成し、前記表示用組合せ集合に属するサブフィールドの組合せを用いて放電セルの発光・非発光を制御して階調を表示するプラズマディスプレイ装置の駆動方法であって、
組合せの数の異なる複数の表示用組合せ集合を備えるとともに、乱数を発生する乱数発生部を備え、
赤の画像信号、緑の画像信号、青の画像信号のそれぞれに対して、複数の前記表示用組合せ集合の中から所定の選択基準に基づき選択した表示用組合せ集合を用いるとともに、
前記乱数に基づく擾乱を前記所定の選択基準に付加することを特徴とするプラズマディスプレイ装置の駆動方法。
【請求項２】
赤の画像信号に対する前記所定の選択基準は、赤の画像信号の信号レベルと緑の画像信号の信号レベルとの比であることを特徴とする請求項１に記載のプラズマディスプレイ装置の駆動方法。
【請求項３】
緑の画像信号に対する前記所定の選択基準は、緑の画像信号の信号レベルと赤の画像信号および青の画像信号の大きいほうの信号レベルとの比であることを特徴とする請求項１に記載のプラズマディスプレイ装置の駆動方法。
【請求項４】
青の画像信号に対する前記所定の選択基準は、青の画像信号の信号レベルと緑の画像信号の信号レベルとの比であることを特徴とする請求項１に記載のプラズマディスプレイ装置の駆動方法。
【請求項５】
赤の画像信号、緑の画像信号、青の画像信号のそれぞれの色の画像信号に対する前記所定の選択基準は、その色の画像信号に対する空間差分の絶対値とその色の画像信号の信号レベルとの比であることを特徴とする請求項１に記載のプラズマディスプレイ装置の駆動方法。
【請求項６】
組合せの数の少ない表示用組合せ集合におけるある階調とその次に高い階調とのハミング距離の平均値は、組合せの数の多い表示用組合せ集合におけるある階調とその次に高い階調とのハミング距離の平均値よりも小さいことを特徴とする請求項１に記載のプラズマディスプレイ装置の駆動方法。
【発明の詳細な説明】
【技術分野】
【０００１】
本発明は、ＡＣ型のプラズマディスプレイパネルを用いたプラズマディスプレイ装置の駆動方法に関する。
【背景技術】
【０００２】
平面状に多数配列された画素を有する画像表示デバイスとして代表的なプラズマディスプレイパネル（以下、「パネル」と略記する）は、走査電極、維持電極およびデータ電極を有する放電セルが多数形成されており、各放電セル内部で発生させたガス放電により蛍光体を励起発光させてカラー表示を行っている。
【０００３】
このようなパネルを用いたプラズマディスプレイ装置では、画像を表示する方法として主にサブフィールド法が用いられている。これは、あらかじめ輝度重みの定められた複数のサブフィールドで１フィールド期間を構成し、各サブフィールドにおいて放電セルそれぞれの発光・非発光を制御して画像を表示する方法である。
【０００４】
プラズマディスプレイ装置は、走査電極を駆動するための走査電極駆動回路、維持電極を駆動するための維持電極駆動回路、データ電極を駆動するためのデータ電極駆動回路を備え、各電極の駆動回路はそれぞれの電極に必要な駆動電圧波形を印加する。この中で、データ電極駆動回路は画像信号に基づいて多数のデータ電極毎に独立に書込み動作のための書込みパルスを印加する。
【０００５】
データ電極駆動回路側からパネルを見ると、各データ電極は隣接するデータ電極、走査電極および維持電極との間の浮遊容量をもつ容量性の負荷である。したがって各データ電極に駆動電圧波形を印加するためにはこの容量を充放電しなければならず、そのための消費電力が必要となる。
【０００６】
データ電極駆動回路の消費電力はデータ電極のもつ容量の充放電電流が増えると増大するが、この充放電電流は表示する画像信号に大きく依存している。例えばすべてのデータ電極に書込みパルスを印加しない場合には充放電電流は「０」となるので消費電力も最小となる。逆にすべてのデータ電極に書込みパルスを印加する場合も充放電電流は「０」となるので消費電力も小さい。ところが、データ電極に書込みパルスをランダムに印加する場合には充放電電流は大きくなり消費電力も大きなものとなる。
【０００７】
そこで、データ電極駆動回路の消費電力を削減する方法として、例えば画像信号に基づきデータ電極駆動回路の消費電力を算出し、消費電力が大きい場合には、輝度重みの最も小さいサブフィールドから書込み動作を禁止してデータ電極駆動回路の消費電力を制限する方法等が提案されている（例えば、特許文献１参照）。あるいは、もとの画像信号をデータ電極駆動回路の消費電力の小さくなる画像信号に置き換えて、データ電極駆動回路の消費電力を下げる方法等が開示されている（例えば、特許文献２参照）。
【特許文献１】特開２０００−６６６３８号公報
【特許文献２】特開２００２−１４９１０９号公報
【発明の開示】
【発明が解決しようとする課題】
【０００８】
上記特許文献１、２に記載の方法は、消費電力が増加しすぎた場合に、プラズマディスプレイ装置を破壊から守るために主に使用され、画像の表示品質を大きく損なうおそれがあった。
【０００９】
しかしながら、近年は大画面化、高精細化にともない、データ電極駆動回路の消費電力が定常的に増加する傾向にある。そのため、画像表示品質を犠牲にすることなく定常的に使用できる電力削減方法が望まれていた。
【００１０】
本発明はこれらの課題に鑑みなされたものであり、画像表示品質を犠牲にすることなくデータ電極駆動回路の消費電力を削減できるプラズマディスプレイ装置の駆動方法を提供することを目的とする。
【課題を解決するための手段】
【００１１】
上記目的を達成するために本発明は、１フィールド期間をあらかじめ輝度重みの定められた複数のサブフィールドで構成するとともに、サブフィールドの任意の組合せの中から複数の組合せを選択して表示用組合せ集合を作成し、表示用組合せ集合に属するサブフィールドの組合せを用いて放電セルの発光・非発光を制御して階調を表示するプラズマディスプレイ装置の駆動方法であって、組合せの数の異なる複数の表示用組合せ集合を備えるとともに、乱数を発生する乱数発生部を備え、赤の画像信号、緑の画像信号、青の画像信号のそれぞれに対して、複数の表示用組合せ集合の中から所定の選択基準に基づき選択した表示用組合せ集合を用いるとともに、乱数に基づく擾乱を所定の選択基準に付加することを特徴とする。この方法により、画像表示品質を犠牲にすることなくデータ電極駆動回路の消費電力を削減できるプラズマディスプレイ装置の駆動方法を提供することができる。
【００１２】
また本発明の赤の画像信号に対する所定の選択基準は、赤の画像信号の信号レベルと緑の画像信号の信号レベルとの比であってもよい。
【００１３】
また本発明の緑の画像信号に対する所定の選択基準は、緑の画像信号の信号レベルと赤の画像信号および青の画像信号の大きいほうの信号レベルとの比であってもよい。
【００１４】
また本発明の青の画像信号に対する所定の選択基準は、青の画像信号の信号レベルと緑の画像信号の信号レベルとの比であってもよい。
【００１５】
また本発明の赤の画像信号、緑の画像信号、青の画像信号のそれぞれの色の画像信号に対する所定の選択基準は、その色の画像信号に対する空間差分の絶対値とその色の画像信号の信号レベルとの比であってもよい。
【００１６】
また本発明の組合せの数の少ない表示用組合せ集合におけるある階調とその次に高い階調とのハミング距離の平均値は、組合せの数の多い表示用組合せ集合におけるある階調とその次に高い階調とのハミング距離の平均値よりも小さいことが望ましい。
【発明の効果】
【００１７】
本発明によれば、画像表示品質を犠牲にすることなくデータ電極駆動回路の消費電力を削減できるプラズマディスプレイ装置の駆動方法を提供することが可能となる。
【発明を実施するための最良の形態】
【００１８】
以下、本発明の実施の形態におけるプラズマディスプレイ装置について、図面を用いて説明する。
【００１９】
（実施の形態１）
図１は、本発明の実施の形態１におけるプラズマディスプレイ装置のパネル１０の構造を示す分解斜視図である。ガラス製の前面基板２１上には、走査電極２２と維持電極２３とからなる表示電極対２４が複数形成されている。そして表示電極対２４を覆うように誘電体層２５が形成され、その誘電体層２５上に保護層２６が形成されている。背面基板３１上にはデータ電極３２が複数形成され、データ電極３２を覆うように誘電体層３３が形成され、さらにその上に井桁状の隔壁３４が形成されている。そして、隔壁３４の側面および誘電体層３３上には赤色に発光する蛍光体層３５Ｒ、緑色に発光する蛍光体層３５Ｇおよび青色に発光する蛍光体層３５Ｂが設けられている。
【００２０】
これら前面基板２１と背面基板３１とは、微小な放電空間を挟んで表示電極対２４とデータ電極３２とが交差するように対向配置され、その外周部をガラスフリット等の封着材によって封着されている。そして放電空間には、例えばネオンとキセノンの混合ガスが放電ガスとして封入されている。放電空間は隔壁３４によって複数の区画に仕切られており、表示電極対２４とデータ電極３２とが交差する部分に放電セルが形成されている。そしてこれらの放電セルが放電、発光することにより画像が表示される。
【００２１】
なお、パネル１０の構造は上述したものに限られるわけではなく、例えばストライプ状の隔壁を備えたものであってもよい。
【００２２】
図２は、本発明の実施の形態１におけるプラズマディスプレイ装置のパネル１０の電極配列図である。パネル１０には、行方向に長いｎ本の走査電極ＳＣ１〜ＳＣｎ（図１の走査電極２２）およびｎ本の維持電極ＳＵ１〜ＳＵｎ（図１の維持電極２３）が配列され、列方向に長いｍ本のデータ電極Ｄ１〜Ｄｍ（図１のデータ電極３２）が配列されている。そして、１対の走査電極ＳＣｉ（ｉ＝１〜ｎ）および維持電極ＳＵｉと１つのデータ電極Ｄｊ（ｊ＝１〜ｍ）とが交差した部分に放電セルが形成され、放電セルは放電空間内にｍ×ｎ個形成されている。そして赤色の蛍光体層３５Ｒが設けられた放電セル、緑色の蛍光体層３５Ｇが設けられた放電セル、および青色の蛍光体層３５Ｂが設けられた放電セルからなる隣り合った３つの放電セルが画像を表示する際の１つの画素に対応する。したがって、パネル１０には画素がｍ／３×ｎ組形成されており、表示画面上の画素の位置（ｘ、ｙ）の画素は、走査電極ＳＣｙ、維持電極ＳＵｙと３つのデータ電極Ｄ３ｘ−２、Ｄ３ｘ−１、Ｄ３ｘとが交差した部分に形成される３つの放電セルにより構成される。ここで、ｘ＝１〜ｍ／３、ｙ＝１〜ｎである。
【００２３】
図３は、本発明の実施の形態１におけるプラズマディスプレイ装置４０の回路ブロック図である。プラズマディスプレイ装置４０は、パネル１０、画像信号処理回路４１、データ電極駆動回路４２、走査電極駆動回路４３、維持電極駆動回路４４、タイミング発生回路４５および各回路ブロックに必要な電源を供給する電源回路（図示せず）を備えている。
【００２４】
画像信号処理回路４１は、詳細は後述するが、入力した画像信号をパネル１０で表示できる画素数および階調数の各色の画像信号に変換し、さらに、放電セルのサブフィールド毎の発光・非発光をデジタル信号のそれぞれのビットの「１」・「０」に対応させた各色の画像データに変換する。
【００２５】
データ電極駆動回路４２は、画像信号処理回路４１から出力された画像データを各データ電極Ｄ１〜Ｄｍに対応する書込みパルスに変換し、各データ電極Ｄ１〜Ｄｍに印加する。
【００２６】
タイミング発生回路４５は水平同期信号、垂直同期信号に基づき、各回路ブロックの動作を制御する各種のタイミング信号を発生し、それぞれの回路ブロックへ供給する。走査電極駆動回路４３、維持電極駆動回路４４は、それぞれのタイミング信号に基づき駆動電圧波形を作成し、走査電極ＳＣ１〜ＳＣｎ、維持電極ＳＵ１〜ＳＵｎのそれぞれに印加する。
【００２７】
次に、パネル１０を駆動するための駆動電圧波形とその動作について説明する。本実施の形態においては、１フィールドを１０のサブフィールド（ＳＦ１、ＳＦ２、・・・、ＳＦ１０）に分割し、各サブフィールドはそれぞれ（１、２、３、６、１１、１８、３０、４４、６０、８１）の輝度重みをもつものとして説明する。このように本実施の形態においては、後に配置されたサブフィールドの輝度重みほど大きくなるように設定されている。ただし、本発明はサブフィールド数や各サブフィールドの輝度重みが上記の値に限定されるものではない。
【００２８】
図４は、本発明の実施の形態１におけるプラズマディスプレイ装置４０の駆動電圧波形を示す図である。
【００２９】
初期化期間では、まずその前半部において、データ電極Ｄ１〜Ｄｍおよび維持電極ＳＵ１〜ＳＵｎを電圧０（Ｖ）に保持し、走査電極ＳＣ１〜ＳＣｎに対して放電開始電圧以下となる電圧Ｖｉ１から放電開始電圧を超える電圧Ｖｉ２に向かって緩やかに上昇する傾斜波形電圧を印加する。すると、すべての放電セルにおいて微弱な初期化放電を起こし、走査電極ＳＣ１〜ＳＣｎ、維持電極ＳＵ１〜ＳＵｎおよびデータ電極Ｄ１〜Ｄｍ上に壁電圧が蓄積される。ここで、電極上の壁電圧とは電極を覆う誘電体層上や蛍光体層上等に蓄積した壁電荷により生じる電圧を指す。
【００３０】
続いて初期化期間の後半部において、維持電極ＳＵ１〜ＳＵｎを正の電圧Ｖｅ１に保ち、走査電極ＳＣ１〜ＳＣｎに電圧Ｖｉ３から電圧Ｖｉ４に向かって緩やかに下降する傾斜波形電圧を印加する。すると、すべての放電セルにおいて再び微弱な初期化放電を起こし、走査電極ＳＣ１〜ＳＣｎ、維持電極ＳＵ１〜ＳＵｎおよびデータ電極Ｄ１〜Ｄｍ上の壁電圧が書込み動作に適した値に調整される。
【００３１】
なお、１フィールドを構成するサブフィールドのうちいくつかのサブフィールドでは初期化期間の前半部を省略してもよく、その場合には、直前のサブフィールドで維持放電を行った放電セルに対して選択的に初期化動作が行われる。図４には、ＳＦ１の初期化期間では前半部および後半部を有する初期化動作、ＳＦ２以降のサブフィールドの初期化期間では後半部のみを有する初期化動作を行う駆動電圧波形を示した。
【００３２】
書込み期間では、維持電極ＳＵ１〜ＳＵｎを電圧Ｖｅ２に保ち、走査電極ＳＣ１〜ＳＣｎに電圧Ｖｃを印加する。次に、各色の画像データに基づきデータ電極Ｄ１〜Ｄｍのうち１行目に発光させるべき放電セルのデータ電極Ｄｋ（ｋ＝１〜ｍ）に電圧Ｖｄの書込みパルスを印加するとともに、１行目の走査電極ＳＣ１に電圧Ｖａの走査パルスを印加する。すると、データ電極Ｄｋと走査電極ＳＣ１との間および維持電極ＳＵ１と走査電極ＳＣ１との間に書込み放電が起こり、この放電セルの走査電極ＳＣ１上に正の壁電圧、維持電極ＳＵ１上に負の壁電圧が蓄積される。このようにして、１行目に発光すべき放電セルで書込み放電を起こして各電極上に壁電圧を蓄積する書込み動作が行われる。一方、書込みパルスを印加しなかったデータ電極Ｄｈ（ｈ≠ｋ）と走査電極ＳＣ１との交差部では書込み放電は発生しない。以上の書込み動作をｎ行目の放電セルに至るまで順次行い、書込み期間が終了する。
【００３３】
なお上述したように、各データ電極Ｄ１〜Ｄｍを駆動しているのはデータ電極駆動回路４２であるが、データ電極駆動回路４２側から見ると各データ電極Ｄｊは容量性の負荷である。したがって書込み期間において、各データ電極Ｄｊに印加する電圧を電圧０（Ｖ）から電圧Ｖｄへ、あるいは電圧Ｖｄから電圧０（Ｖ）へ切換える毎にこの容量を充放電しなければならない。そしてその充放電の回数が多いとデータ電極駆動回路４２の消費電力も多くなる。
【００３４】
続く維持期間では、維持電極ＳＵ１〜ＳＵｎを電圧０（Ｖ）に戻し、走査電極ＳＣ１〜ＳＣｎに電圧Ｖｓの維持パルスを印加する。すると書込み放電を起こした放電セルでは、走査電極ＳＣｉ上と維持電極ＳＵｉ上との間の電圧は電圧Ｖｓに走査電極ＳＣｉ上および維持電極ＳＵｉ上の壁電圧の大きさが加算されたものとなり放電開始電圧を超える。そして、走査電極ＳＣｉと維持電極ＳＵｉとの間に維持放電が起こり発光する。このとき走査電極ＳＣｉ上に負の壁電圧が蓄積され、維持電極ＳＵｉ上に正の壁電圧が蓄積される。
【００３５】
続いて走査電極ＳＣ１〜ＳＣｎを電圧０（Ｖ）に戻し、維持電極ＳＵ１〜ＳＵｎに電圧Ｖｓの維持パルスを印加する。すると、維持放電を起こした放電セルでは、維持電極ＳＵｉ上と走査電極ＳＣｉ上との間の電圧が放電開始電圧を超えるので再び維持電極ＳＵｉと走査電極ＳＣｉとの間に維持放電が起こり、維持電極ＳＵｉ上に負の壁電圧が蓄積され走査電極ＳＣｉ上に正の壁電圧が蓄積される。以降同様に、走査電極ＳＣ１〜ＳＣｎと維持電極ＳＵ１〜ＳＵｎとに、輝度重みに応じた数の維持パルスを印加することにより、書込み期間において書込み放電を起こした放電セルでは維持放電が継続して行われる。なお、書込み期間において書込み放電が起きなかった放電セルでは維持放電は発生せず、初期化期間の終了時における壁電圧が保持される。こうして維持期間における維持動作が終了する。
【００３６】
続くＳＦ２〜ＳＦ１０においても維持パルス数を除いてＳＦ１と同様の動作を行う。
【００３７】
このようにしてサブフィールド法においては、１フィールド期間をあらかじめ輝度重みの定められた複数のサブフィールドで構成する。そしてサブフィールドの任意の組合せの中から複数の組合せを選択して表示用組合せ集合を作成し、表示用組合せ集合に属するサブフィールドの組合せを用いて放電セルの発光・非発光を制御して階調を表示している。複数のサブフィールドの組合せを選択して作成した表示用組合せ集合を「コーディングテーブル」と呼ぶ。本実施の形態においては各色の画像信号、すなわち赤の画像信号ｓｉｇＲ、緑の画像信号ｓｉｇＧ、青の画像信号ｓｉｇＢのそれぞれに対して、組合せの数の異なる複数のコーディングテーブルを備え、各色の画像信号の信号レベルに応じて使用するコーディングテーブルを切換えている。
【００３８】
次に、本実施の形態において用いる表示用組合せ集合、すなわちコーディングテーブルについて説明する。なお、説明を簡単にするために、赤の画像信号ｓｉｇＲ、緑の画像信号ｓｉｇＧ、青の画像信号ｓｉｇＢのそれぞれに対して、黒を表示したときの階調を「０」とし、輝度重み「Ｎ」に対応する階調を「Ｎ」と表記する。したがって、輝度重み「１」をもつＳＦ１のみで発光する放電セルの階調は「１」であり、輝度重み「１」のＳＦ１と輝度重み「２」のＳＦ２との両方で発光させる放電セルの階調は「３」である。
【００３９】
本実施の形態においては、各色の画像信号に対して用いるそれぞれのコーディングテーブルを、２つのコーディングテーブルの中から選択して使用している。
【００４０】
図５は、本発明の実施の形態１におけるプラズマディスプレイ装置４０で用いるコーディングテーブルを示す図であり、図５（ａ）は９０通りのサブフィールドの組合せを有する第１のコーディングテーブルを示す図、図５（ｂ）は１１通りのサブフィールドの組合せを有する第２のコーディングテーブルを示す図である。本実施の形態においては、各色の画像信号に対して用いるそれぞれのコーディングテーブルを、各色の画像信号の信号レベルに基づき、上記２つのコーディングテーブルの中から１つを選択して使用している。
【００４１】
図５において、最も左の列に示した数値は表示に用いる表示用階調の値を示し、その右側にはその階調を表示する際に各サブフィールドで放電セルを発光させるか否かを示しており、「０」は非発光、「１」は発光を示している。例えば図５（ａ）において、階調「２」を表示するためには、ＳＦ２でのみ放電セルを発光させればよく、階調「１４」を表示するためには、ＳＦ１、ＳＦ２およびＳＦ５で放電セルを発光させればよい。なお、階調「３」を表示する場合には、ＳＦ１およびＳＦ２で放電セルを発光させる方法と、ＳＦ３のみ発光させる方法とがあるが、このように複数の組合せが可能である場合には、できるだけ輝度重みの小さいサブフィールドで発光させる組合せを選択する。すなわち、階調「３」を表示する場合にはＳＦ１およびＳＦ２で放電セルを発光させる。
【００４２】
上述したように画像信号処理回路４１は、各色の画像信号（赤の画像信号ｓｉｇＲ、緑の画像信号ｓｉｇＧ、青の画像信号ｓｉｇＢ）を、放電セルのサブフィールド毎の発光・非発光をデジタル信号のそれぞれのビットの「１」・「０」に対応させた各色の画像データ（赤の画像データｄａｔａＲ、緑の画像データｄａｔａＧ、青の画像データｄａｔａＢ）に変換する。したがって、階調「０」を表示する画像データ「００００００００００」はＳＦ１〜ＳＦ１０で非発光であり、階調「１」を表示する画像データ「１０００００００００」はＳＦ１のみで発光し、階調「２」を表示する画像データ「０１００００００００」はＳＦ２のみで発光し、階調「３」を表示する画像データ「１１００００００００」はＳＦ１とＳＦ２とで発光する。
【００４３】
なお、２つの画像データに対して、対応するビットを比較したとき、等しくないビットの個数をハミング距離と称する。例えば階調「０」の画像データと、階調「１」の画像データとはＳＦ１に対するビットが等しくないので、それらのハミング距離は「１」である。また、階調「０」の画像データと、階調「３」の画像データとはＳＦ１およびＳＦ２に対するビットが等しくないので、それらのハミング距離は「２」である。図５の右欄には、その表示用階調とその次に高い表示用階調とのハミング距離を記載している。ここで、その次に高い表示用階調とは、その表示用階調未満であって、かつ最も高い階調を示す。例えば表示用階調「２４７」の右欄には、その表示用階調「２４７」とその次に高い表示用階調「２４５」とのハミング距離「３」を記載している。
【００４４】
第１のコーディングテーブルは隣り合う表示用階調のハミング距離が大きいコーディングテーブルであり、その値は「１」、「２」、「３」のいずれかであってそれらの平均値は「１．９１」である。また第２のコーディングテーブルはハミング距離が最も小さいコーディングテーブルであり、その値は「１」であってそれらの平均値も「１．００」である。このように本実施の形態においては、組合せの数の少ないコーディングテーブルにおけるある階調とその次に高い階調とのハミング距離の平均値は、組合せの数の多いコーディングテーブルにおけるある階調とその次に高い階調とのハミング距離の平均値よりも小さくなるように第１のコーディングテーブルと第２のコーディングテーブルとを作成している。
【００４５】
なお、画像を表示する場合、サブフィールドの組合せの数が多いコーディングテーブルを用いると、表示できる階調数が増えるので画像の表現能力を向上させることができる。しかしながらハミング距離が大きくなると、書込み期間において、各データ電極Ｄｊに印加する電圧を電圧０（Ｖ）から電圧Ｖｄへ、あるいは電圧Ｖｄから電圧０（Ｖ）へ切換える頻度が増え、データ電極駆動回路４２の消費電力が大きくなる。
【００４６】
したがって、サブフィールドの組合せの数が多いコーディングテーブルを用いると、表示できる階調数が増えて画像の表現能力が向上するが、隣り合う表示用階調のハミング距離が大きくなるため消費電力が大きくなる。一方、サブフィールドの組合せの数が少ないコーディングテーブルを用いると表示できる階調数が減るので画像の表現能力は低下するが、隣り合う表示用階調のハミング距離が小さくなって消費電力が抑制される。
【００４７】
そのため、所定の判定基準に基づき表示できる階調が少なくても画像表示品質が低下しない画像信号を判定し、その画像信号に対してサブフィールドの組合せの数が少ないコーディングテーブルを選択することでデータ電極駆動回路４２の消費電力を抑制することができる。本実施の形態においては、各色の画像信号のそれぞれの信号レベルを比較して、相対的に信号レベルの大きい色の画像信号に対しては表示できる階調数の多いコーディングテーブルを用いて画像表示品質を確保する。一方、相対的に信号レベルの小さい色の画像信号に対しては、表示できる階調数が少なくても画像表示品質が大きく低下することがないので、サブフィールドの組合せの数が少ないコーディングテーブルを用いて消費電力を抑制する。このようにして、赤の画像信号ｓｉｇＲ、緑の画像信号ｓｉｇＧ、青の画像信号ｓｉｇＢのそれぞれの信号レベルを比較して、相対的に信号レベルの小さい色の画像信号に対しては、相対的に信号レベルの大きい色の画像信号に対して用いる表示用組合せ集合よりも組合せの数の少ない表示用組合せ集合を用いることにより、画像表示品質を犠牲にすることなく電力を削減している。
【００４８】
具体的には、赤の画像信号ｓｉｇＲに対する所定の選択基準は、赤の画像信号ｓｉｇＲの信号レベルと緑の画像信号ｓｉｇＧの信号レベルとの比であり、緑の画像信号ｓｉｇＧに対する比が所定の定数Ｋｒよりも小さい赤の画像信号ｓｉｇＲに対しては、緑の画像信号ｓｉｇＧに対する比が所定の定数Ｋｒ以上の赤の画像信号ｓｉｇＲに対して用いる表示用組合せ集合よりも組合せの数の少ない表示用組合せ集合を用いる。
【００４９】
すなわち、赤の画像信号ｓｉｇＲと緑の画像信号ｓｉｇＧとを比較して、
（条件Ｒ１）ｓｉｇＲ≧ｓｉｇＧ×Ｋｒ
が成り立つ領域では、赤の画像信号ｓｉｇＲに対して第１のコーディングテーブルを用いる。
【００５０】
（条件Ｒ２）ｓｉｇＲ＜ｓｉｇＧ×Ｋｒ
が成り立つ領域では、赤の画像信号ｓｉｇＲに対して第２のコーディングテーブルを用いる。
【００５１】
ただし定数Ｋｒは、赤の画像信号ｓｉｇＲに対して設定される定数であり、「０．８」、「０．７５」、「０．７」、「０．６５」のうちの１つを画素毎にランダムに選択して定数Ｋｒとする。このようにして、選択基準に擾乱を付加している。
【００５２】
また、緑の画像信号ｓｉｇＧに対する所定の選択基準は、緑の画像信号ｓｉｇＧの信号レベルと赤の画像信号ｓｉｇＲおよび青の画像信号ｓｉｇＢの大きいほうの信号レベルとの比であり、赤の画像信号ｓｉｇＲと青の画像信号ｓｉｇＢとの大きいほうの画像信号に対する比が所定の定数Ｋｇよりも小さい緑の画像信号ｓｉｇＧに対しては、赤の画像信号ｓｉｇＲと青の画像信号ｓｉｇＢとの大きいほうの画像信号に対する比が所定の定数Ｋｇ以上の緑の画像信号ｓｉｇＧに対して用いる表示用組合せ集合よりも組合せの数の少ない表示用組合せ集合を用いる。
【００５３】
すなわち、赤の画像信号ｓｉｇＲと緑の画像信号ｓｉｇＧと青の画像信号ｓｉｇＢとを比較して、
（条件Ｇ１）ｓｉｇＧ≧ｍａｘ（ｓｉｇＲ，ｓｉｇＢ）×Ｋｇ
が成り立つ領域では、緑の画像信号ｓｉｇＧに対して第１のコーディングテーブルを用いる。ここでｍａｘ（Ａ，Ｂ）は、数値Ａ、Ｂのうち大きいほうを選択することを示している。
【００５４】
（条件Ｇ２）ｓｉｇＧ＜ｍａｘ（ｓｉｇＲ，ｓｉｇＢ）×Ｋｇ
が成り立つ領域では、緑の画像信号ｓｉｇＧに対して第２のコーディングテーブルを用いる。
【００５５】
ただし定数Ｋｇは、緑の画像信号ｓｉｇＧに対して設定される定数であり、「０．３」、「０．２５」、「０．２」、「０．１５」のうちの１つを画素毎にランダムに選択して定数Ｋｇとする。このようにして、選択基準に擾乱を付加している。
【００５６】
また、青の画像信号ｓｉｇＢに対する所定の選択基準は、青の画像信号ｓｉｇＢの信号レベルと緑の画像信号ｓｉｇＧの信号レベルとの比であり、緑の画像信号ｓｉｇＧに対する比が所定の定数Ｋｂよりも小さい青の画像信号ｓｉｇＢに対しては、緑の画像信号ｓｉｇＧに対する比が所定の定数Ｋｂ以上の青の画像信号ｓｉｇＢに対して用いる表示用組合せ集合よりも組合せの数の少ない表示用組合せ集合を用いる。
【００５７】
すなわち、青の画像信号ｓｉｇＢと緑の画像信号ｓｉｇＧとを比較して、
（条件Ｂ１）ｓｉｇＢ≧ｓｉｇＧ×Ｋｂ
が成り立つ領域では、青の画像信号ｓｉｇＢに対して第１のコーディングテーブルを用いる。
【００５８】
（条件Ｂ２）ｓｉｇＢ＜ｓｉｇＧ×Ｋｂ
が成り立つ領域では、青の画像信号ｓｉｇＢに対して第２のコーディングテーブルを用いる。
【００５９】
ただし定数Ｋｂは、青の画像信号ｓｉｇＢに対して設定される定数であり、「０．８」、「０．７５」、「０．７」、「０．６５」のうちの１つを画素毎にランダムに選択して定数Ｋｂとする。このようにして、選択基準に擾乱を付加している。
【００６０】
なお、各色の画像信号の信号レベルが等しい場合、緑の発光は赤の発光、青の発光に比べて最も輝度が高く、階調に対する視覚感度も最も高い。本実施の形態においては、上記に考慮して、赤の画像信号ｓｉｇＲと緑の画像信号ｓｉｇＧとを比較して赤の画像信号ｓｉｇＲに対して用いるコーディングテーブルを選択し、青の画像信号ｓｉｇＢと緑の画像信号ｓｉｇＧとを比較して青の画像信号ｓｉｇＢに対して用いるコーディングテーブルを選択した。
【００６１】
図６は、本発明の実施の形態１におけるプラズマディスプレイ装置４０のコーディングテーブルの使い分けを模式的に示す図であり、縦軸に赤の画像信号ｓｉｇＲの信号レベル、横軸に緑の画像信号ｓｉｇＧの信号レベルを示している。なお図面を見やすくするために、青の画像信号ｓｉｇＢの信号レベルは「０」とした。
【００６２】
図６の（条件Ｒ１）が成立する画像信号は、緑の画像信号ｓｉｇＧに対して赤の画像信号ｓｉｇＲの相対的な信号レベルは高く、そのため赤の画像信号ｓｉｇＲに対して第１のコーディングテーブルを用いる。また（条件Ｒ２）が成立する画像信号は、緑の画像信号ｓｉｇＧに対して赤の画像信号ｓｉｇＲの相対的な信号レベルが低いため、赤の画像信号ｓｉｇＲに対して第２のコーディングテーブルを用いる。なお（条件Ｒ１）と（条件Ｒ２）とを分ける４本の破線は、それぞれ定数Ｋｒの４つの値「０．８」、「０．７５」、「０．７」、「０．６５」に対応している。
【００６３】
このように、本実施の形態においては、各色の画像信号のうち相対的な信号レベルが小さく、表示できる階調数を減らしても画像の表示品質の低下しない信号に対しては第２のコーディングテーブルを用いて、画像表示品質を犠牲にすることなく電力を削減している。
【００６４】
また本実施の形態においては、画像信号の信号レベルの大きさを判定するための定数Ｋｒ、Ｋｇ、Ｋｂを画素毎に確率的に変動させて設定している。そのため、使用するコーディングテーブルの切換わる境界がランダムに拡散される。
【００６５】
図７は、本発明の実施の形態１のプラズマディスプレイ装置４０における赤の画像信号ｓｉｇＲに対するコーディングテーブル切換えの様子を示す模式図であり、第１のコーディングテーブルを用いる領域と第２のコーディングテーブルを用いる領域とその境界とを示している。具体的には、例えば緑の画像信号ｓｉｇＧの信号レベルが一定であり、赤の画像信号ｓｉｇＲの信号レベルが左側で大きく、右側に行くにしたがって小さくなっている画像である。そして明色で示した画素に対しては第１のコーディングテーブルを用い、暗色で示した画素に対しては第２のコーディングテーブルを用いる。
【００６６】
図７に示した各画素に対して、（条件Ｒ１）が成り立てば第１のコーディングテーブルを用い、（条件Ｒ２）が成り立てば第２のコーディングテーブルを用いる。このとき、定数Ｋｒの値が大きいと、緑の画像信号ｓｉｇＧに定数Ｋｒを乗じた値も大きくなるので、（条件Ｒ１）が成り立つ領域は狭く、（条件Ｒ２）が成り立つ領域は広くなる。逆に定数Ｋｒの値が小さいと、（条件Ｒ１）が成り立つ領域は広く、（条件Ｒ２）が成り立つ領域は狭くなる。
【００６７】
本実施の形態において、定数Ｋｒは「０．８」、「０．７５」、「０．７」、「０．６５」のうちのいずれかから画素毎にランダムに選択される。そして領域Iの画素に対しては定数Ｋｒの値がいずれであっても（条件Ｒ１）が成り立つと判定し、第１のコーディングテーブルを用いて発光・非発光を制御する。領域IIの画素に対しては定数Ｋｒの値が「０．８」の場合は（条件Ｒ２）が成り立つと判定し、定数Ｋｒの値が「０．７５」、「０．７」、「０．６５」の場合には（条件Ｒ１）が成り立つと判定する。したがって領域IIの画素に対しては、３／４の確率で第１のコーディングテーブルを用い、１／４の確率で第２のコーディングテーブルを用いることになる。また領域IIIの画素に対しては定数Ｋｒの値が「０．８」、「０．７５」の場合は（条件Ｒ２）が成り立つと判定し、定数Ｋｒの値が「０．７」、「０．６５」の場合には（条件Ｒ１）が成り立つと判定する。したがって領域IIIの画素に対しては、１／２の確率で第１のコーディングテーブルを用い、１／２の確率で第２のコーディングテーブルを用いることになる。また領域IVの画素に対しては定数Ｋｒの値が「０．８」、「０．７５」、「０．７」の場合は（条件Ｒ２）が成り立つと判定し、定数Ｋｒの値が「０．６５」の場合には（条件Ｒ１）が成り立つと判定する。したがって領域IVの画素に対しては、１／４の確率で第１のコーディングテーブルを用い、３／４の確率で第２のコーディングテーブルを用いることになる。そして領域Vの画素に対しては定数Ｋｒの値がいずれであっても（条件Ｒ２）が成り立つと判定し、第２のコーディングテーブルを用いることになる。
【００６８】
このように本実施の形態においては、４つの数値の中から１つを選択して定数Ｋｒを設定しているため、第１のコーディングテーブルを用いる領域Iと第２のコーディングテーブルを用いる領域Vとの間に３つの遷移領域II、III、IVができる。
【００６９】
緑の画像信号ｓｉｇＧに対する定数Ｋｇ、青の画像信号ｓｉｇＢに対する定数Ｋｇについても同様である。こうしてコーディングテーブルの切換わる境界に、それぞれのコーディングテーブルを用いて発光・非発光の制御を行う放電セルを確率的に分布させた遷移領域を設けることにより、スムーズにコーディングテーブルを切換えている。
【００７０】
次に、画像信号処理回路４１の回路構成について説明する。
【００７１】
図８は、本発明の実施の形態１におけるプラズマディスプレイ装置４０の画像信号処理回路４１の詳細を示す回路ブロック図である。画像信号処理回路４１は、色分離部５１と、乱数発生部５２と、Ｒ比較部５４Ｒと、Ｇ比較部５４Ｇと、Ｂ比較部５４Ｂと、Ｒデータ変換部５８Ｒと、Ｇデータ変換部５８Ｇと、Ｂデータ変換部５８Ｂとを備えている。
【００７２】
色分離部５１は、ＮＴＳＣ画像信号等の入力画像信号を３つの原色信号、すなわち赤の画像信号ｓｉｇＲ、緑の画像信号ｓｉｇＧ、青の画像信号ｓｉｇＢに分離する。入力画像信号として各色の画像信号を入力する場合には色分離部５１を省略してもよい。
【００７３】
乱数発生部５２は、画素毎に乱数を発生する。ここで発生する乱数は、２ｂｉｔバイナリの乱数であり、「００」、「０１」、「１０」、「１１」のいずれかである。
【００７４】
Ｒ比較部５４Ｒは、乱数発生部５２で発生した乱数に基づき定数Ｋｒを設定し、緑の画像信号ｓｉｇＧの定数Ｋｒ倍と赤の画像信号ｓｉｇＲとを比較する。図９は、本発明の実施の形態１のプラズマディスプレイ装置４０におけるＲ比較部５４Ｒの回路ブロック図である。Ｒ比較部５４Ｒは、セレクタ６１と、乗算器６２と、比較器６３とを有する。セレクタ６１は、乱数発生部５２で発生した乱数に基づき、定数Ｋｒの候補の数値「０．８」、「０．７５」、「０．７」、「０．６５」の中から１つを選択する。乗算器６２は、緑の画像信号ｓｉｇＧとセレクタ６１が選択した定数Ｋｒとを乗算する。比較器６３は、赤の画像信号ｓｉｇＲと乗算器６２の出力とを比較する。こうしてＲ比較部５４Ｒは、（条件Ｒ１）、（条件Ｒ２）のいずれが成り立つかを示す信号を比較結果としてＲデータ変換部５８Ｒに出力する。
【００７５】
Ｇ比較部５４Ｇ、Ｂ比較部５４Ｂについても同様の動作を行う。
【００７６】
Ｒデータ変換部５８Ｒは、コーディング選択部８１と、２つのコーディングテーブル８２ａ、８２ｂとを有し、赤の画像信号ｓｉｇＲを赤の画像データｄａｔａＲ、すなわち赤の放電セルの発光・非発光を制御するサブフィールドの組合せに変換する。
【００７７】
コーディング選択部８１は、Ｒ比較部５４Ｒの比較結果に基づいて２つのコーディングテーブル８２ａ、８２ｂのいずれか１つを選択する。具体的には、（条件Ｒ１）が成り立つ領域では第１のコーディングテーブル８２ａを、（条件Ｒ２）が成り立つ領域では第２のコーディングテーブル８２ｂをそれぞれ選択する。コーディングテーブル８２ａ、８２ｂのそれぞれは、例えばＲＯＭ等のデータ変換テーブルを用いて構成され、入力した赤の画像信号ｓｉｇＲを赤の画像データｄａｔａＲに変換する。
【００７８】
Ｇデータ変換部５８ＧおよびＢデータ変換部５８Ｂも、Ｒデータ変換部５８Ｒと同様の回路構成である。
【００７９】
ここで、コーディングテーブル８２ａは、図５（ａ）に示した第１のコーディングテーブルであり、コーディングテーブル８２ｂは、図５（ｂ）に示した第２のコーディングテーブルである。
【００８０】
このように構成することで、赤の画像信号ｓｉｇＲ、緑の画像信号ｓｉｇＧ、青の画像信号ｓｉｇＢのそれぞれに対して、複数の表示用組合せ集合の中から所定の選択基準に基づき選択した表示用組合せ集合を用いるとともに、乱数に基づく擾乱を所定の選択基準に付加することができる。そしてこのように動作させることにより画像表示品質を犠牲にすることなく電力を削減することができる。
【００８１】
なお本実施の形態においては、各色の画像信号に対して用いるそれぞれのコーディングテーブルを、各色の画像信号の信号レベルの相対比較に基づき２つのコーディングテーブルの中から１つを選択して使用する例について説明した。しかし本発明はこれに限定されるものではない。例えば各色の画像信号に対して３つ以上のコーディングテーブルを備え、各色の画像信号の信号レベルに基づき３つ以上のコーディングテーブルの中から１つを選択して使用してもよい。また、各色の画像信号の信号レベルに加えて、画像の動き等の他の属性を考慮してコーディングテーブルを使い分けてもよい。また、表示用階調にない階調を表示する回路を追加してもよい。以下にその一例を実施の形態２として説明する。
【００８２】
（実施の形態２）
パネルの構造、電極に印加する駆動電圧波形等については実施の形態１と同様であるので説明を省略する。実施の形態２においては、各色の画像信号に対して用いるそれぞれのコーディングテーブルを、４つのコーディングテーブルの中から選択して使用している。また各色の画像信号の相対的な信号レベルに加えて、画像信号の絶対的な信号レベル、各色の画像信号の空間差分、各色の画像信号の時間空間差分に基づき、各色の画像信号に対して用いるそれぞれのコーディングテーブルを選択している。
【００８３】
図１０は、本発明の実施の形態２におけるプラズマディスプレイ装置４０で用いるコーディングテーブルを示す図である。図１０（ａ）は９０通りのサブフィールドの組合せを有する第１のコーディングテーブルであり、図５（ａ）に示した第１のコーディングテーブルと同じである。図１０（ｂ）は４４通りのサブフィールドの組合せを有する第２のコーディングテーブルであり、図１０（ｃ）は２０通りのサブフィールドの組合せを有する第３のコーディングテーブルを示す図である。また図１０（ｄ）は１１通りのサブフィールドの組合せを有する第４のコーディングテーブルであり、図５（ｂ）に示した第２のコーディングテーブルと同じである。
【００８４】
第１のコーディングテーブルは隣り合う表示用階調のハミング距離が最も大きく、その値は「１」、「２」、「３」のいずれかであって、それらの平均値は「１．９１」である。第２のコーディングテーブルはハミング距離が「１」または「２」であり、かつ「２」の頻度が大きく、それらの平均値は「１．７７」である。第３のコーディングテーブルはハミング距離が「１」または「２」であるが、「２」の頻度が「１」の頻度と同程度であり、それらの平均値は「１．４７」である。また第４のコーディングテーブルはハミング距離が最も小さく、その値は「１」であって、それらの平均値は「１．００」である。このように、本実施の形態においても、組合せの数の少ないコーディングテーブルにおけるある階調とその次に高い階調とのハミング距離の平均値は、組合せの数の多いコーディングテーブルにおけるある階調とその次に高い階調とのハミング距離の平均値よりも小さくなるように設定されている。
【００８５】
上述したように、サブフィールドの組合せの数が多いコーディングテーブルを用いると、表示できる階調数が増えて画像の表現能力が向上するが、隣り合う表示用階調のハミング距離が大きくなるため消費電力が大きくなる。加えて擬似輪郭も発生しやすくなる。一方、サブフィールドの組合せの数が少ないコーディングテーブルを用いると表示できる階調数が減るので画像の表現能力は低下するが、隣り合う表示用階調のハミング距離が小さくなって消費電力が抑制され、加えて擬似輪郭も発生しにくくなる。
【００８６】
そのために、表示できる階調が少なくても画像表示品質が低下しない画像信号であれば、その画像信号に対してサブフィールドの組合せの数が少ないコーディングテーブルを用いることでデータ電極駆動回路４２の消費電力を抑制することができる。本実施の形態においては、各色の画像信号に対して用いるそれぞれのコーディングテーブルを、階調に対する視覚感度の高さに基づき決定している。階調に対する視覚感度の高さは、各色の画像信号の絶対的な信号レベル、各色の画像信号の相対的な信号レベル、画像信号の空間差分のレベル、画像信号の時間差分のレベルから判定することができる。
【００８７】
また実施の形態２においても実施の形態１と同様に、使用するコーディングテーブルの切換わる境界をランダムに拡散することで、画像表示品質を低下させることなくコーディングテーブルを切換えている。以下に、各色の画像信号の絶対的な信号レベル、相対的な信号レベル、画像信号の空間差分の大きさ、画像信号の時間差分の大きさについて順に説明する。
【００８８】
まず、画像信号の絶対的な信号レベルについて説明する。輝度の絶対値の低い画像は階調に対する視覚感度が高くなるため、サブフィールドの組合せの数の多いコーディングテーブルを用いることが望ましい。画像信号の絶対的な信号レベルに関する所定の選択基準は画像信号の輝度であり、以下のようにして暗画像、明画像のいずれかを判定する。
【００８９】
赤の画像信号ｓｉｇＲ、緑の画像信号ｓｉｇＧ、青の画像信号ｓｉｇＢのそれぞれに、輝度に比例した係数をかけて、輝度換算信号ｓｉｇＹを求める。
【００９０】
ｓｉｇＹ＝０．２×ｓｉｇＲ＋０．７×ｓｉｇＧ＋０．１×ｓｉｇＢ
そして輝度換算信号ｓｉｇＹと定数ＢＲＴとを比較して、
ｓｉｇＹ＜ＢＲＴ
が成り立てば暗画像と判定する。
【００９１】
ｓｉｇＹ≧ＢＲＴ
が成り立てば明画像と判定する。
【００９２】
ただし定数ＢＲＴは「２０」、「１８」、「１６」、「１４」のうちの１つを画素毎にランダムに選択して設定する。このようにして選択基準に擾乱を付加している。
【００９３】
次に、各色の画像信号の相対的な信号レベルについて説明する。画像信号の相対的な信号レベルに関する所定の選択基準は他の色の画像信号に対する相対的な信号レベルであり、以下のようにして信号レベル大、信号レベル中、信号レベル小のいずれかを判定する。
【００９４】
赤の画像信号ｓｉｇＲに対しては、赤の画像信号ｓｉｇＲと緑の画像信号ｓｉｇＧとを比較して、
ｓｉｇＧ×Ｋｒ１≦ｓｉｇＲ
が成り立てば、信号レベル大と判定する。
【００９５】
ｓｉｇＧ×Ｋｒ２≦ｓｉｇＲ＜ｓｉｇＧ×Ｋｒ１
が成り立てば、信号レベル中と判定する。
【００９６】
ｓｉｇＲ＜ｓｉｇＧ×Ｋｒ２
が成り立てば、信号レベル小と判定する。
【００９７】
ただし定数Ｋｒ１、Ｋｒ２は、赤の画像信号ｓｉｇＲに対して設定される定数であり、「１．６」、「１．５」、「１．４」、「１．３」のうちの１つを画素毎にランダムに選択して定数Ｋｒ１とし、「０．８」、「０．７５」、「０．７」、「０．６５」のうちの１つを画素毎にランダムに選択して定数Ｋｒ２とする。このようにして選択基準に擾乱を付加している。
【００９８】
また、緑の画像信号ｓｉｇＧに対しては、赤の画像信号ｓｉｇＲと緑の画像信号ｓｉｇＧと青の画像信号ｓｉｇＢとを比較して、
ｍａｘ（ｓｉｇＲ，ｓｉｇＢ）×Ｋｇ１≦ｓｉｇＧ
が成り立てば、信号レベル大と判定する。
【００９９】
ｍａｘ（ｓｉｇＲ，ｓｉｇＢ）×Ｋｇ２≦ｓｉｇＧ＜ｍａｘ（ｓｉｇＲ，ｓｉｇＢ）×Ｋｇ１
が成り立てば、信号レベル中と判定する。
【０１００】
ｓｉｇＧ＜ｍａｘ（ｓｉｇＲ，ｓｉｇＢ）×Ｋｇ２
が成り立てば、信号レベル小と判定する。
【０１０１】
ただし定数Ｋｇ１、Ｋｇ２は、緑の画像信号ｓｉｇＧに対して設定される定数であり、「０．５５」、「０．５」、「０．４５」、「０．４」のうちの１つを画素毎にランダムに選択して定数Ｋｇ１とし、「０．３」、「０．２５」、「０．２」、「０．１５」のうちの１つを画素毎にランダムに選択して定数Ｋｇ２とする。このようにして選択基準に擾乱を付加している。
【０１０２】
さらに、青の画像信号ｓｉｇＢに対しては、青の画像信号ｓｉｇＢと緑の画像信号ｓｉｇＧとを比較して、
ｓｉｇＧ×Ｋｂ１≦ｓｉｇＢ
が成り立てば、信号レベル大と判定する。
【０１０３】
ｓｉｇＧ×Ｋｂ２≦ｓｉｇＢ＜ｓｉｇＧ×Ｋｂ１
が成り立てば、信号レベル中と判定する。
【０１０４】
ｓｉｇＢ＜ｓｉｇＧ×Ｋｂ２
が成り立てば、信号レベル小と判定する。
【０１０５】
ただし定数Ｋｂ１、Ｋｂ２は、青の画像信号ｓｉｇＢに対して設定される定数であり、「１．６」、「１．５」、「１．４」、「１．３」のうちの１つを画素毎にランダムに選択して定数Ｋｂ１とし、「０．８」、「０．７５」、「０．７」、「０．６５」のうちの１つを画素毎にランダムに選択して定数Ｋｂ２とする。このようにして選択基準に擾乱を付加している。
【０１０６】
次に、各色の画像信号の空間差分の大きさについて説明する。表示画像の中の階調の変化の大きい領域では表示できる階調数が少なくても画像表示画質がほとんど低下しない。そのため画像信号の空間差分を算出して、空間差分の大きい画像信号に対してはサブフィールドの組合せの数の少ないコーディングテーブルを用いることができる。図１１は、本発明の実施の形態２におけるプラズマディスプレイ装置４０の表示画像の一例とその画像の差分信号とを示す図であり、図１１（ａ）は表示画像の一例を示し、図１１（ｂ）はその差分画像を示している。図１１（ｂ）において白く表示されている領域は差分信号の信号レベルが大きい領域であり、サブフィールドの組合せの数の少ないコーディングテーブルを用いることができる。一方、黒く表示されている領域は差分信号の信号レベルが小さい領域であり、この領域の画像信号に対しては画像表示品質の劣化を避けるためにサブフィールドの組合せの数の多いコーディングテーブルを用いることが望ましい。
【０１０７】
この場合の赤の画像信号ｓｉｇＲ、緑の画像信号ｓｉｇＧ、青の画像信号ｓｉｇＢのそれぞれの色の画像信号に対する所定の選択基準は、その色の画像信号に対する空間差分の絶対値とその色の画像信号の信号レベルとの比である。
【０１０８】
具体的には、まず画像信号の空間差分を算出する。空間差分を算出する方法としては、例えば表示画面上の画素の位置（ｘ、ｙ）における赤の画像信号ｓｉｇＲ（ｘ、ｙ）に対して、赤の差分信号
ｄｉｆＲ（ｘ、ｙ）＝［｛ｓｉｇＲ（ｘ−１、ｙ）−ｓｉｇＲ（ｘ＋１、ｙ）｝２＋｛ｓｉｇＲ（ｘ、ｙ−１）−ｓｉｇＲ（ｘ、ｙ＋１）｝２］１／２
を算出し空間差分としてもよい。緑の差分信号ｄｉｆＧおよび青の差分信号ｄｉｆＢについても同様である。
【０１０９】
しかし本実施の形態においては、垂直方向の空間差分だけに注目して、赤の差分信号
ｄｉｆＲ（ｘ、ｙ）＝｜ｓｉｇＲ（ｘ、ｙ−１）−ｓｉｇＲ（ｘ、ｙ）｜
を算出して空間差分とした。この算出方法によれば水平方向の差分成分は反映されないが、計算を大幅に簡略化することができる。緑の差分信号ｄｉｆＧ（ｘ、ｙ）、青の差分信号ｄｉｆＢ（ｘ、ｙ）についても同様である。
【０１１０】
次に、算出した赤の差分信号ｄｉｆＲ、緑の差分信号ｄｉｆＧ、青の差分信号ｄｉｆＢに基づき、以下のようにして空間差分小、空間差分大のいずれかを判定する。
【０１１１】
赤の画像信号ｓｉｇＲに対しては、
ｄｉｆＲ（ｘ、ｙ）＜ｓｉｇＲ（ｘ、ｙ）／Ｃｒ
が成り立てば、空間差分小と判定する。
【０１１２】
ｄｉｆＲ（ｘ、ｙ）≧ｓｉｇＲ（ｘ、ｙ）／Ｃｒ
が成り立てば、空間差分大と判定する。
【０１１３】
ただし、定数Ｃｒは赤の画像信号ｓｉｇＲに対して設定される定数であり、「８．５」、「８．０」、「７．５」、「７．０」のうちの１つを画素毎にランダムに選択して定数Ｃｒとする。このようにして選択基準に擾乱を付加することにより、使用するコーディングテーブルの切換わる境界をランダムに拡散しつつコーディングテーブルを切換えている。
【０１１４】
また、緑の画像信号ｓｉｇＧに対しては、
ｄｉｆＧ（ｘ、ｙ）＜ｓｉｇＧ（ｘ、ｙ）／Ｃｇ
が成り立てば、空間差分小と判定する。
【０１１５】
ｄｉｆＧ（ｘ、ｙ）≧ｓｉｇＧ（ｘ、ｙ）／Ｃｇ
が成り立てば、空間差分大と判定する。
【０１１６】
ただし、定数Ｃｇは緑の画像信号ｓｉｇＧに対して設定される定数であり、「８．５」、「８．０」、「７．５」、「７．０」のうちの１つを画素毎にランダムに選択して定数Ｃｇとする。このようにして選択基準に擾乱を付加している。
【０１１７】
さらに、青の画像信号ｓｉｇＢに対しては、
ｄｉｆＢ（ｘ、ｙ）＜ｓｉｇＢ（ｘ、ｙ）／Ｃｂ
が成り立てば、空間差分小と判定する。
【０１１８】
ｄｉｆＢ（ｘ、ｙ）≧ｓｉｇＢ（ｘ、ｙ）／Ｃｂ
が成り立てば、空間差分大と判定する。
【０１１９】
ただし、定数Ｃｂは青の画像信号ｓｉｇＢに対して設定される定数であり、「８．５」、「８．０」、「７．５」、「７．０」のうちの１つを画素毎にランダムに選択して定数Ｃｂとする。このようにして選択基準に擾乱を付加している。
【０１２０】
次に、各色の画像信号の時間差分の大きさについて説明する。静止画像または動きの遅い画像（以下、まとめて「静止画像」と略記する）を表示する領域では階調に対する視覚感度が高く、動きの速い画像（以下、「動画像」と略記する）を表示する領域では階調に対する視覚感度が低くなる傾向がある。そのため画像信号の時間差分を算出して、時間差分の大きい動画像を表示する領域ではサブフィールドの組合せの数の少ないコーディングテーブルを用いることができる。一方、時間差分の小さい静止画像を表示する領域ではサブフィールドの組合せの数の多いコーディングテーブルを用いることが望ましい。
【０１２１】
画像信号の動きに関しては、まず画像信号の時間差分を算出する。時間差分を算出する方法としては、例えば表示画面上の画素の位置（ｘ、ｙ）、時刻ｔにおける赤の画像信号ｓｉｇＲ（ｘ、ｙ、ｔ）に対して、その前のフレームの赤の画像信号ｓｉｇＲ（ｘ、ｙ、ｔ−１）との差分の絶対値を算出し、
ｍｏｖＲ（ｘ、ｙ、ｔ）＝｜ｓｉｇＲ（ｘ、ｙ、ｔ−１）−ｓｉｇＲ（ｘ、ｙ、ｔ）｜
として時間差分を算出することができる。緑の差分信号ｍｏｖＧ（ｘ、ｙ、ｔ）、青の差分信号ｍｏｖＢ（ｘ、ｙ、ｔ）についても同様である。
【０１２２】
次に、算出した赤の差分信号ｍｏｖＲ、緑の差分信号ｍｏｖＧ、青の差分信号ｍｏｖＢに基づき、以下のようにして静止画、動画のいずれかを判定する。
【０１２３】
赤の画像信号ｓｉｇＲに対して、
ｍｏｖＲ（ｘ、ｙ、ｔ）≧ｓｉｇＲ（ｘ、ｙ、ｔ）／Ｍｒ
または、緑の画像信号ｓｉｇＧに対して、
ｍｏｖＧ（ｘ、ｙ、ｔ）≧ｓｉｇＧ（ｘ、ｙ、ｔ）／Ｍｇ
または、青の画像信号ｓｉｇＢに対して、
ｍｏｖＢ（ｘ、ｙ、ｔ）≧ｓｉｇＢ（ｘ、ｙ、ｔ）／Ｍｂ
のいずれかが成り立てば動画と判定し、いずれも成り立たなければ静止画と判定する。
【０１２４】
ただし定数Ｍｒ、Ｍｇ、Ｍｂは、あらかじめ定められた定数であり、本実施の形態においては、
Ｍｒ＝Ｍｇ＝Ｍｂ＝４
である。
【０１２５】
図１２は、本発明の実施の形態２におけるプラズマディスプレイ装置４０の画像信号に対するコーディングテーブルの使い分けを示す図である。輝度換算信号ｓｉｇＹが低く暗画像と判定した画像信号に対しては、赤の画像信号ｓｉｇＲ、緑の画像信号ｓｉｇＧ、青の画像信号ｓｉｇＢのそれぞれに対して第１のコーディングテーブルを用いる。輝度換算信号ｓｉｇＹが高く明画像と判定した画像信号に対しては、以下のとおりである。
【０１２６】
画像信号の相対的な信号レベルが大きく空間差分が小さい静止画に対しては、赤の画像信号ｓｉｇＲ、緑の画像信号ｓｉｇＧ、青の画像信号ｓｉｇＢのそれぞれに対して第１のコーディングテーブルを用いる。また画像信号の相対的な信号レベルが大きく空間差分が小さい動画に対しては、赤の画像信号ｓｉｇＲ、緑の画像信号ｓｉｇＧ、青の画像信号ｓｉｇＢのそれぞれに対して第２のコーディングテーブルを用いる。相対的な信号レベルが大きく空間差分も大きい赤の画像信号ｓｉｇＲおよび青の画像信号ｓｉｇＢに対しては第４のコーディングテーブルを、緑の画像信号ｓｉｇＧに対しては第３のコーディングテーブルをそれぞれ用いる。また画像信号の相対的な信号レベルが中であって空間差分が小さい赤の画像信号ｓｉｇＲ、緑の画像信号ｓｉｇＧ、青の画像信号ｓｉｇＢのそれぞれに対しては第３のコーディングテーブルを用いる。また画像信号の相対的な信号レベルが中であって空間差分が大きい赤の画像信号ｓｉｇＲおよび青の画像信号ｓｉｇＢに対しては第４のコーディングテーブルを、緑の画像信号ｓｉｇＧに対しては第３のコーディングテーブルをそれぞれ用いる。また相対的な信号レベルが小さい赤の画像信号ｓｉｇＲ、緑の画像信号ｓｉｇＧ、青の画像信号ｓｉｇＢのそれぞれに対しては第４のコーディングテーブルを用いる。
【０１２７】
このように、画像信号の相対的な信号レベルの小さい領域では、相対的な信号レベルの大きい領域で用いるコーディングテーブルよりも組合せの数の少ないコーディングテーブルを用い、表示画像の中の階調の変化の大きい領域では、階調の変化の少ない領域で用いるコーディングテーブルよりも組合せの数の少ないコーディングテーブルを用い、動画像を表示する領域では、静止画像を表示する領域で用いるコーディングテーブルよりも組合せの数の少ないコーディングテーブルを用いて放電セルの発光・非発光を制御している。
【０１２８】
また本実施の形態においては、画像信号の信号レベルの大きさを判定するための定数Ｋｒ１、Ｋｒ２、Ｋｇ１、Ｋｇ２、Ｋｂ１、Ｋｂ２、および画像信号の空間差分の大きさを判定するための定数Ｃｒ、Ｃｇ、Ｃｂを画素毎に確率的に変動させて設定している。そして、これら定数のそれぞれを、画素毎にランダムに切換えて設定しているため、使用するコーディングテーブルの切換わる境界がランダムに拡散される。このようにコーディングテーブルの切換わる境界に、それぞれのコーディングテーブルを用いて発光・非発光の制御を行う放電セルを確率的に分布させた遷移領域を設けることにより、境界部分の輪郭の発生を抑制している。
【０１２９】
なお、本実施の形態においては、静止画、動画のいずれかを判定するための定数Ｍｒ、Ｍｇ、Ｍｂは、あらかじめ決められた値をもつものとして説明したが、本発明はこれに限定されるものではなく、これらの定数Ｍｒ、Ｍｇ、Ｍｂについても、確率的に変動させて設定してもよい。
【０１３０】
次に、実施の形態２における画像信号処理回路の回路構成について説明する。図１３は、本発明の実施の形態２におけるプラズマディスプレイ装置４０の画像信号処理回路１４１の詳細を示す回路ブロック図である。画像信号処理回路１４１は、色分離部５１と、乱数発生部５２と、暗画像検出部１５３と、Ｒ比較部１５４Ｒと、Ｇ比較部１５４Ｇと、Ｂ比較部１５４Ｂと、Ｒ差分部１５６Ｒと、Ｇ差分部１５６Ｇと、Ｂ差分部１５６Ｂと、動き検出部１５７と、Ｒデータ変換部１５８Ｒと、Ｇデータ変換部１５８Ｇと、Ｂデータ変換部１５８Ｂとを備えている。
【０１３１】
色分離部５１および乱数発生部５２は、実施の形態１における色分離部５１および乱数発生部５２と同じである。
【０１３２】
暗画像検出部１５３は、赤の画像信号ｓｉｇＲ、緑の画像信号ｓｉｇＧ、青の画像信号ｓｉｇＢのそれぞれに、輝度に比例した係数をかけて、輝度換算信号ｓｉｇＹを求める。また乱数発生部５２で発生した乱数に基づき定数ＢＲＴの候補「２０」、「１８」、「１６」、「１４」の中から１つを選択する。そして輝度換算信号ｓｉｇＹと定数ＢＲＴとを比較して、暗画像、明画像のいずれかの比較結果をＲデータ変換部１５８Ｒ、Ｇデータ変換部１５８Ｇ、Ｂデータ変換部１５８Ｂに出力する。
【０１３３】
Ｒ比較部１５４Ｒは、乱数発生部５２で発生した乱数に基づき、定数Ｋｒ１の候補の数値「１．６」、「１．５」、「１．４」、「１．３」の中から１つを選択し、定数Ｋｒ２の候補の数値「０．８」、「０．７５」、「０．７」、「０．６５」の中から１つを選択する。そして赤の画像信号ｓｉｇＲと緑の画像信号ｓｉｇＧの定数Ｋｒ１倍、および赤の画像信号ｓｉｇＲと緑の画像信号ｓｉｇＧの定数Ｋｒ２倍とを比較して、赤の画像信号ｓｉｇＲの相対的な信号レベルを判定する。そして信号レベル大、信号レベル中、信号レベル小のいずれかの比較結果をＲデータ変換部１５８Ｒに出力する。
【０１３４】
Ｇ比較部１５４Ｇ、Ｂ比較部１５４Ｂについても同様の動作を行う。
【０１３５】
Ｒ差分部１５６Ｒは、乱数発生部５２で発生した乱数に基づき、定数Ｃｒの候補の数値「８．５」、「８．０」、「７．５」、「７．０」の中から１つを選択する。そして赤の画像信号ｓｉｇＲの空間微分を算出し、定数Ｃｒを用いて空間差分大、空間差分小のいずれかの比較結果をＲデータ変換部１５８Ｒに出力する。
【０１３６】
Ｇ差分部１５６Ｇ、Ｂ差分部１５６Ｂについても同様の動作を行う。
【０１３７】
動き検出部１５７は、例えばフレームメモリと差分回路とを備え、時間差分であるフレーム間の差分を計算し、その絶対値が所定の値以上であれば動画、所定の値未満であれば静止画として検出して、その結果をＲデータ変換部１５８Ｒ、Ｇデータ変換部１５８Ｇ、Ｂデータ変換部１５８Ｂに出力する。
【０１３８】
Ｒデータ変換部１５８Ｒは、暗画像検出部１５３の検出結果、Ｒ比較部１５４Ｒの比較結果、Ｒ差分部１５６Ｒの空間差分の結果、動き検出部１５７の動き検出結果に基づき、図１０に示したコーディングテーブルを用いて赤の画像信号ｓｉｇＲを赤の画像データｄａｔａＲに変換する。同様に、Ｇデータ変換部１５８Ｇは緑の画像信号ｓｉｇＧを緑の画像データｄａｔａＧに変換し、Ｂデータ変換部１５８Ｂは青の画像信号ｓｉｇＢを青の画像データｄａｔａＢに変換する。
【０１３９】
図１４は、本発明の実施の形態２におけるプラズマディスプレイ装置４０のＲデータ変換部１５８Ｒ、Ｇデータ変換部１５８Ｇ、Ｂデータ変換部１５８Ｂの回路ブロック図である。Ｒデータ変換部１５８Ｒは、コーディング選択部１８１と、４つのコーディングテーブル１８２ａ、１８２ｂ、１８２ｃ、１８２ｄと、誤差拡散処理部１８３とを有する。
【０１４０】
コーディング選択部１８１は、暗画像検出部１５３の検出結果、Ｒ比較部１５４Ｒの比較結果、Ｒ差分部１５６Ｒの空間差分の結果、動き検出部１５７の検出結果に基づいて、４つのコーディングテーブル１８２ａ、１８２ｂ、１８２ｃ、１８２ｄの中から１つを選択する。コーディングテーブル１８２ａ、１８２ｂ、１８２ｃ、１８２ｄのそれぞれは、例えばＲＯＭ等のデータ変換テーブルを用いて構成され、入力した赤の画像信号ｓｉｇＲを赤の画像データに変換する。誤差拡散処理部１８３は、コーディングテーブルで表示できない階調を擬似的に表示するために設けており、上記の赤の画像データに誤差拡散処理やディザ処理等を施して画像データｄａｔａＲとして出力する。
【０１４１】
Ｇデータ変換部１５８ＧおよびＢデータ変換部１５８Ｂも、Ｒデータ変換部１５８Ｒと同様の回路構成であるため、詳細な説明を省略する。
【０１４２】
なお実施の形態２においては、画像信号の信号レベルの大きさを判定するための定数Ｋｒ１、Ｋｒ２、Ｋｇ１、Ｋｇ２、Ｋｂ１、Ｋｂ２、および画像信号の空間差分の大きさを判定するための定数Ｃｒ、Ｃｇ、Ｃｂを画素毎に確率的に変動させて設定することにより使用するコーディングテーブルの切換わる境界をランダムに拡散した。しかし境界をランダムに拡散する方法はこれに限定されるものではない。以下にその一例を実施の形態３として説明する。
【０１４３】
（実施の形態３）
実施の形態３における画像信号処理回路２４１の回路構成が実施の形態２における画像信号処理回路１４１の回路構成と異なる点は、Ｒ比較部２５４Ｒ、Ｇ比較部２５４ＧおよびＢ比較部２５４Ｂの回路構成である。
【０１４４】
図１５は、本発明の実施の形態３におけるプラズマディスプレイ装置４０のＲ比較部２５４Ｒの回路ブロック図である。Ｒ比較部２５４Ｒは、減算器２６１ｂ、２６１ｃ、２６１ｄと、乗算器２６２と、比較器２６３ａ、２６３ｂ、２６３ｃ、２６３ｄと、比較器２６５ｂ、２６５ｃ、２６５ｄと、ＡＮＤゲート２６６ｂ、２６６ｃ、２６６ｄと、ＯＲゲート２６７と、乗算器２７２と、比較器２７３ａ、２７３ｂ、２７３ｃ、２７３ｄと、ＡＮＤゲート２７６ｂ、２７６ｃ、２７６ｄと、ＯＲゲート２７７とを有する。
【０１４５】
減算器２６１ｂは赤の画像信号ｓｉｇＲから「１０」を減算し、減算器２６１ｃは赤の画像信号ｓｉｇＲから「２０」を減算し、減算器２６１ｄは赤の画像信号ｓｉｇＲから「３０」を減算してそれぞれ出力する。乗算器２６２は緑の画像信号ｓｉｇＧに定数Ｋｒ１を乗ずる。比較器２６３ａは赤の画像信号ｓｉｇＲと緑の画像信号ｓｉｇＧの定数Ｋｒ１倍とを比較し、比較器２６３ｂは赤の画像信号ｓｉｇＲから「１０」を減じた信号と緑の画像信号ｓｉｇＧの定数Ｋｒ１倍とを比較し、比較器２６３ｃは赤の画像信号ｓｉｇＲから「２０」を減じた信号と緑の画像信号ｓｉｇＧの定数Ｋｒ１倍とを比較し、比較器２６３ｄは赤の画像信号ｓｉｇＲから「３０」を減じた信号と緑の画像信号ｓｉｇＧの定数Ｋｒ１倍とを比較する。
【０１４６】
比較器２６５ｂは乱数発生部５２で発生した乱数と数値「１」とを比較する。乱数は、２ｂｉｔバイナリで「００」、「０１」、「１０」、「１１」のいずれか、すなわち１０進表記で「０」、「１」、「２」、「３」のいずれかである。したがって比較器２６５ｂの出力が「Ｈ」となる確率が３／４であり、「Ｌ」となる確率が１／４である。比較器２６５ｃは乱数発生部５２で発生した乱数と数値「２」とを比較する。したがって比較器２６５ｃの出力が「Ｈ」となる確率が１／２であり、「Ｌ」となる確率が１／２である。比較器２６５ｄは乱数発生部５２で発生した乱数と数値「３」とを比較する。したがって比較器２６５ｄの出力が「Ｈ」となる確率が１／４であり、「Ｌ」となる確率が３／４である。
【０１４７】
ＡＮＤゲート２６６ｂは比較器２６３ｂの出力と比較器２６５ｂの出力との論理積を出力し、ＡＮＤゲート２６６ｃは比較器２６３ｃの出力と比較器２６５ｃの出力との論理積を出力し、ＡＮＤゲート２６６ｄは比較器２６３ｄの出力と比較器２６５ｄの出力との論理積を出力する。ＯＲゲート２６７はＡＮＤゲート２６６ｂ、２６６ｃ、２６６ｄの出力の論理和を出力する。
【０１４８】
乗算器２７２は緑の画像信号ｓｉｇＧに定数Ｋｒ２を乗ずる。比較器２７３ａ、２７３ｂ、２７３ｃ、２７３ｄと、ＡＮＤゲート２７６ｂ、２７６ｃ、２７６ｄと、ＯＲゲート２７７とについては、対応する比較器２６３ａ、２６３ｂ、２６３ｃ、２６３ｄと、ＡＮＤゲート２６６ｂ、２６６ｃ、２６６ｄと、ＯＲゲート２６７と同様である。
【０１４９】
Ｇ比較部２５４Ｇ、Ｂ比較部２５４Ｂについても同様の動作を行う。
【０１５０】
次にＲ比較部２５４Ｒの動作を説明する。図１６は、本発明の実施の形態３のプラズマディスプレイ装置４０におけるコーディングテーブル切換えの様子を示す模式図であり、実施の形態１における図７に対応する模式図である。実施の形態１と同様に、例えば緑の画像信号ｓｉｇＧの信号レベルが一定であり、赤の画像信号ｓｉｇＲの信号レベルが左側で大きく、右側に行くにしたがって小さくなる画像信号を表示しているものとする。
【０１５１】
比較器２６３ａは赤の画像信号ｓｉｇＲと緑の画像信号ｓｉｇＧの「１．５」倍とを比較し、領域I、領域II、領域III、領域IVで信号レベル大と判定して「Ｈ」を出力し、領域Vで信号レベル中と判定して「Ｌ」を出力する。比較器２６３ｂは赤の画像信号ｓｉｇＲから「１０」を減じた信号と緑の画像信号ｓｉｇＧの「１．５」倍とを比較するので信号レベル大と判定する領域が狭くなる。そのため領域I、領域II、領域IIIで「Ｈ」を出力し、領域IV、領域Vで「Ｌ」を出力する。比較器２６３ｃは赤の画像信号ｓｉｇＲから「２０」を減じた信号と緑の画像信号ｓｉｇＧの「１．５」倍とを比較するので信号レベル大と判定する領域がさらに狭くなり、領域I、領域IIで「Ｈ」を出力し、領域III、領域IV、領域Vで「Ｌ」を出力する。比較器２６３ｄは赤の画像信号ｓｉｇＲから「３０」を減じた信号と緑の画像信号ｓｉｇＧの「１．５」倍とを比較するので、領域Iで「Ｈ」を出力し、領域II、領域III、領域IV、領域Vで「Ｌ」を出力する。
【０１５２】
一方、比較器２６５ｂの出力は、３／４の確率で「Ｈ」、１／４の確率で「Ｌ」となり、比較器２６５ｃの出力は、２／４の確率で「Ｈ」、２／４の確率で「Ｌ」となり、比較器２６５ｄの出力は、３／４の確率で「Ｈ」、１／４の確率で「Ｌ」となる。
【０１５３】
その結果、Ｒ比較部２５４Ｒの判定結果は、領域Vの画素に対しては乱数の値にかかわらず、信号レベル中と判定される。また領域IVの画素に対しては、３／４の確率で信号レベル中と判定され、１／４の確率で信号レベル大と判定されることになる。また領域IIIの画素に対しては、１／２の確率で信号レベル中と判定され、１／２の確率で信号レベル大と判定されることになる。また領域IIの画素に対しては、１／４の確率で信号レベル中と判定され、３／４の確率で信号レベル大と判定されることになる。
【０１５４】
このように実施の形態３においては、乱数に基づく擾乱を所定の選択基準に付加する方法として、各色の画像信号の信号レベルに擾乱を付加している。このように実施の形態３においても、第１のコーディングテーブルを用いる領域Iと第２のコーディングテーブルを用いる領域Vとの間に３つの遷移領域II、III、IVができる。こうしてコーディングテーブルの切換わる境界に、それぞれのコーディングテーブルを用いて発光・非発光の制御を行う放電セルを確率的に分布させた遷移領域を設けることにより、スムーズにコーディングテーブルを切換えることができる。
【０１５５】
なお、各実施の形態においてはコーディングテーブルの数が４つであるとして説明したが、本発明はこれに限定されるものではなく、それ以外の複数のコーディングテーブルを切換えて用いる構成であってもよい。
【０１５６】
また本発明は、サブフィールド数や各サブフィールドの輝度重みが上記の値に限定されるものではなく、さらに上述した各実施の形態において用いた具体的な数値等は、単に一例を挙げたに過ぎず、パネルの特性やプラズマディスプレイ装置の仕様等に合わせて、適宜最適な値に設定することが望ましい。
【産業上の利用可能性】
【０１５７】
本発明は、画像表示品質を犠牲にすることなくデータ電極駆動回路の消費電力を削減できるので、プラズマディスプレイ装置の駆動方法として有用である。
【図面の簡単な説明】
【０１５８】
【図１】本発明の実施の形態１におけるプラズマディスプレイ装置のパネルの構造を示す分解斜視図
【図２】同プラズマディスプレイ装置の電極配列図
【図３】同プラズマディスプレイ装置の回路ブロック図
【図４】同プラズマディスプレイ装置の駆動電圧波形を示す図
【図５】同プラズマディスプレイ装置で用いるコーディングテーブルを示す図
【図６】同プラズマディスプレイ装置のコーディングテーブルの使い分けを模式的に示す図
【図７】同プラズマディスプレイ装置におけるコーディングテーブル切換えの様子を示す模式図
【図８】同プラズマディスプレイ装置の画像信号処理回路の詳細を示す回路ブロック図
【図９】同プラズマディスプレイ装置におけるＲ比較部の回路ブロック図
【図１０】本発明の実施の形態２におけるプラズマディスプレイ装置で用いるコーディングテーブルを示す図
【図１１】同プラズマディスプレイ装置における表示画像の一例とその画像の差分信号とを示す図
【図１２】同プラズマディスプレイ装置の画像信号に対するコーディングテーブルの使い分けを示す図
【図１３】同プラズマディスプレイ装置の画像信号処理回路の詳細を示す回路ブロック図
【図１４】同プラズマディスプレイ装置のＲデータ変換部、Ｇデータ変換部、Ｂデータ変換部の回路ブロック図
【図１５】本発明の実施の形態３におけるプラズマディスプレイ装置のＲ比較部の回路ブロック図
【図１６】同プラズマディスプレイ装置におけるコーディングテーブル切換えの様子を示す模式図
【符号の説明】
【０１５９】
１０    パネル
２２    走査電極
２３    維持電極
２４    表示電極対
３２    データ電極
４０    プラズマディスプレイ装置
４１，１４１，２４１    画像信号処理回路
４２    データ電極駆動回路
４３    走査電極駆動回路
４４    維持電極駆動回路
４５    タイミング発生回路
５１    色分離部
５２    乱数発生部
５４Ｒ，１５４Ｒ，２５４Ｒ    Ｒ比較部
５４Ｇ，１５４Ｇ，２５４Ｇ    Ｇ比較部
５４Ｂ，１５４Ｂ，２５４Ｂ    Ｂ比較部
５８Ｒ，１５８Ｒ    Ｒデータ変換部
５８Ｇ，１５８Ｇ    Ｇデータ変換部
５８Ｂ，１５８Ｂ    Ｂデータ変換部
６１    セレクタ
６２    乗算器
６３，２６３ａ，２６３ｂ，２６３ｃ，２６３ｄ，２６５ｂ，２６５ｃ，２６５ｄ，２７３ａ，２７３ｂ，２７３ｃ，２７３ｄ    比較器
８１，１８１    コーディング選択部
８２ａ，８２ｂ，１８２ａ，１８２ｂ，１８２ｃ，１８２ｄ    コーディングテーブル
１５３    暗画像検出部
１５６Ｒ    Ｒ差分部
１５６Ｇ    Ｇ差分部
１５６Ｂ    Ｂ差分部
１５７    動き検出部
１８３    誤差拡散処理部
２６１ｂ，２６１ｃ，２６１ｄ    減算器
２６２，２７２    乗算器
２６６ｂ，２６６ｃ，２６６ｄ，２７６ｂ，２７６ｃ，２７６ｄ    ＡＮＤゲート
２６７，２７７    ＯＲゲート
【図１】
2010139689.tif 000003
【図２】
2010139689.tif 000004
【図３】
2010139689.tif 000005
【図４】
2010139689.tif 000006
【図５】
2010139689.tif 000007
【図８】
2010139689.tif 000008
【図９】
2010139689.tif 000009
【図１０】
2010139689.tif 000010
【図１２】
2010139689.tif 000011
【図１３】
2010139689.tif 000012
【図１４】
2010139689.tif 000013
【図１５】
2010139689.tif 000014
【図６】
2010139689.tif 000015
【図７】
2010139689.tif 000016
【図１１】
2010139689.tif 000017
【図１６】
2010139689.tif 000018